(57)【特許請求の範囲】
【請求項１】
上下に隣接するとともに、それぞれ横方向に延伸するようにして、壁に固定される複数の帯状布を備え、前記各帯状布は複数の植物の根元部分を保持し、
上下に隣接する前記帯状布において、上側の前記帯状布の下側の一部分は、下側の前記帯状布により形成されるポケットの開口内に位置し、
複数の前記帯状布は、前記帯状布の中途部における互いに離間する複数の位置において、複数の前記帯状布を渡って上下方向に延伸する複数の取り付け線上において壁に固定される、
ことを特徴とする壁面緑化構造。
【請求項２】
請求項１に記載の壁面緑化構造において、
前記各帯状布は、上方に開くよう短手方向に折り曲げられた状態で壁に固定され、
前記各帯状布の内側に複数の植物の根元部分が収容される、
ことを特徴とする壁面緑化構造。
【請求項３】
請求項１に記載の壁面緑化構造において、
前記各帯状布は、その下縁に沿う位置、及びその上縁の少なくとも２つの位置にて壁に固定され、前記各帯状布の壁側に複数の植物の根元部分が収容される、
ことを特徴とする壁面緑化構造。
【請求項４】
請求項１乃至３のいずれかに記載の壁面緑化構造において、
前記各帯状布は、釘、鋲又はねじにより壁に固定される、
ことを特徴とする壁面緑化構造。
【請求項５】
請求項１乃至４のいずれかに記載の壁面緑化構造において、
前記各帯状布は、不織布である、
ことを特徴とする壁面緑化構造。
【請求項６】
請求項５に記載の壁面緑化構造において、
前記各帯状布は、フェルトである、
ことを特徴とする壁面緑化構造。
【請求項７】
上下に隣接するとともに、それぞれ横方向に延伸して複数の植物の根元部分を保持する複数の帯状布を、上下に隣接する前記帯状布において、上側の前記帯状布の下側の一部分は、下側の前記帯状布により形成されるポケットの開口内に位置し、複数の前記帯状布は、前記帯状布の中途部における互いに離間する複数の位置において、複数の前記帯状布を渡って上下方向に延伸する複数の取り付け線上において壁に固定されるように壁面に設置する布設置工程と、
前記各帯状布に対して上方から植物を植え付ける植栽工程と、
を含むことを特徴とする壁面緑化工法。
【発明の詳細な説明】
【技術分野】
【０００１】
本発明は壁面緑化構造、壁面緑化工法及び壁面緑化シートに関する。
【背景技術】
【０００２】
建物の内壁、外壁、塀、その他の壁面を緑化する工法が種々検討されている。建物外壁を緑化する場合には、建物の断熱・遮熱という実用的効果のみならず、建物の美観を向上させるという大きな効果が得られる。また、建物内壁や塀を緑化する場合にも、見る人に癒しを与えるという効果がある。壁面緑化を施す場合、植物の根元部分を壁面で保持する構造が必要であり、例えば下記特許文献１には、植物の根元部分を受ける根受部が相互に離間して設けられた板状のパネルを用いて壁面を緑化する方法が開示されている。
【先行技術文献】
【特許文献】
【０００３】
【特許文献１】特開２００８−２９３２２号公報
【発明の概要】
【発明が解決しようとする課題】
【０００４】
しかしながら、上記従来方法によると、板状のパネルに根受部が互いに離間して設けられているので、植物が十分に生育するまでは根受部と根受部の間においてパネルが露呈したままとなり、壁面を植物の葉で十分に覆うことが難しい虞がある。この場合、壁面緑化の実用的効果が十分に得られないばかりか、壁面の美観向上も十分に図れない。
【０００５】
本発明は上記課題に鑑みてなされたものであって、その目的は、植物の葉で壁面を十分に覆うことができる壁面緑化構造、壁面緑化工法及びそれに用いる壁面緑化シートを提供することにある。
【課題を解決するための手段】
【０００６】
上記課題を解決するために、本発明に係る壁面緑化構造は、上下に隣接するとともに、それぞれ横方向に延伸するようにして、壁に固定される複数の帯状布を備え、前記各帯状布は複数の植物の根元部分を保持する、ことを特徴とする。こうすれば、植物の間隔が狭まり、壁面を植物の葉で十分に覆うことができるようになる。また、布を用いて植物の根元部分を保持することで、多数の植物の根に水分・養分を行き渡らせることが容易となる。
【０００７】
ここで、前記各帯状布は、上方に開くよう短手方向に折り曲げられた状態で壁に固定されてよい。こうすれば、各帯状布がポケット状をなし、植物の根元部分を確実に保持できる。また、帯状布によるポケットの底部、すなわち帯状布の折り曲げ部分から水分・養分が浸みだし、下側に隣接する帯状布に収容される植物にも好適に供給されるようになる。
【０００８】
ここで、少なくとも１枚の前記帯状布の折り曲げ箇所は、下側に隣接する前記帯状布の側縁よりも下側に位置してよい。こうすれば、上下の植物が、部分的に壁面に垂直な向きに互いに重なることになり、植物をさらに密集させることができる。
【０００９】
或いは、前記各帯状布は、その下縁に沿う位置、及びその上縁の少なくとも２つの位置にて壁に固定され、前記各帯状布の壁側に複数の植物の根元部分が収容されてよい。こうしても、帯状布により植物の根元部を保持できる。また、少なくとも１枚の前記帯状布は、上側に隣接する前記帯状布に部分的に重なってよい。
【００１０】
なお、各帯状布は、釘、鋲又はねじにより壁に固定されてよい。釘には、Ｕ字又はコ字状の釘（いわゆるタッカーにより打ち込まれるステープル）も含まれる。こうすれば、各帯状布を容易に壁側に固定でき、また固定のために必要な壁面スペースを最小化できる。
【００１１】
また、複数の前記帯状布は、それらを横切るようにして上下方向に延伸する複数の取付線上において壁に固定されてよい。こうすれば、帯状布を横方向に区切ることができ、例えばそれぞれの区画に異なる種類の植物を配置することができる。また、こうして壁面に寄せ植えを行っても、生長して植物が他の区画に進入することがない。
【００１２】
また、前記帯状布はフェルトその他の不繊布であってよい。不織布は空隙を均等に有しているので、植物が好適に根を張ることができる。
【００１３】
また、本発明に係る壁面緑化工法は、上下に隣接するとともに、それぞれ横方向に延伸して複数の植物の根元部分を保持する複数の帯状布を壁面に設置する布設置工程と、前記各帯状布に対して上方から植物を植え付ける植栽工程と、を含むことを特徴とする。
【００１４】
また、本発明に係る壁面緑化シートは、壁面において上下に隣接するとともに、それぞれ横方向に延伸して複数の植物の根元部分を保持する複数の帯状布を含み、前記各帯状布は、上方に開くよう短手方向に折り曲げられ、上側に配置される前記帯状布の折り曲げ箇所に沿う位置と、下側に配置される前記帯状布の壁側の側縁と、が互いに固定されることにより一体化される、ことを特徴とする。
【００１５】
また、本発明に係る壁面緑化シートは、壁面に固定される下地布と、互いに並行するようにして前記下地布に重ねて設けられ、それぞれ一方の側縁に沿って前記下地布に固定される、複数の帯状布と、を含むことを特徴とする。
【図面の簡単な説明】
【００１６】
【図１】本発明の実施形態に係る工法により緑化される壁面を示す斜視図である。
【図２】一部の帯状布を取り付けた状態の壁面緑化構造を示す斜視図である。
【図３】全部の帯状布を取り付けた状態の壁面緑化構造を示す斜視図である。
【図４】横固定位置にて帯状布及び下地布を壁面に固定した状態を示す斜視図である。
【図５】植物を植えた状態の壁面緑化構造を拡大して示す正面図である。
【図６】壁面緑化構造の拡大縦断面図である。
【図７】本発明の実施形態に係る壁面緑化シートを示す斜視図である。
【図８】下地布及び散水管を取り付けた状態の変形例に係る壁面緑化構造を示す斜視図である。
【図９】一部の帯状布を取り付けた状態の変形例に係る壁面緑化構造を示す斜視図である。
【図１０】全部の帯状布を取り付けた状態の変形例に係る壁面緑化構造を示す斜視図である。
【図１１】横固定位置にて帯状布及び下地布を壁面に固定した状態の変形例に係る壁面緑化構造を示す斜視図である。
【図１２】変形例に係る壁面緑化構造の拡大縦断面図である。
【図１３】変形例に係る壁面緑化シートを示す斜視図である。
【発明を実施するための形態】
【００１７】
以下、本発明の実施形態について図面に基づき詳細に説明する。
【００１８】
図１は、本発明の実施形態に係る工法により緑化される壁面を示す斜視図である。同図に示すように、建物の外壁・内壁・塀それ自体、或いはそれらの壁に固定される木製等の枠である下地１０に対し、まず防水性を有する防水パネル１２が固定される。
【００１９】
次に、図２に示すように防水パネル１２上に複数の帯状布１８が重ねて配置される。帯状布１８は、例えば不繊布である。不織布は空隙を均等に有しているので、植物が好適に根を張ることができる。不繊布としては、好適には８ｍｍ〜１０ｍｍ程度の厚さの工業用又は家庭用フェルトが用いられてよく、関西フェルトファブリック株式会社製のセブロンや押谷フェルト化成株式会社製のＯＳニードルを用いることができる。
【００２０】
帯状布１８は、３０〜５０ｃｍほどの幅を有するとともに、防水パネル１２の横幅に等しい長さを有している。但し、最上位置の帯状布１８ａのみ、１５ｃｍ前後ほど、さらに幅広に形成されている。各帯状布１８は、幅方向（短手方向）の略中央にて谷折りされ、下側部分が手前上方に折り返されている。これにより、各帯状布１８は、上方に開いた状態となる。また、最上位置の帯状布１８ａのだけは、壁側の布部分の上縁が手前側に丸められ、その内部に散水管１６が配置される。散水管１６は、柔軟な樹脂製のチューブ状であってもよいし、樹脂製又は金属製のパイプ状であってもよい。散水管１６の側面には等間隔に穴が開けられており、そこから放出される液肥入りの水が帯状布１８ａに染み渡る。また、帯状布１８ａの底部、すなわち折返し部分から液肥入りの水が滴り落ち、下側の帯状布１８の開口に落下する。こうして、全ての帯状布１８の開口の内部に液肥入りの水が行き渡ることになる。なお、散水管１６の一部は、図示しない散水システムに接続されており、例えば定期的にそこから散水管１６に液肥入りの水が供給される。
【００２１】
帯状布１８の防水パネル１２への固定は、例えばタッカーを用いてステープル２０（コ字状の釘）により行ってよい。或いは、帯状布１８の固定は、例えば釘、ねじ、鋲などの他の固定具により行ってもよい。
【００２２】
具体的には、各帯状布１８は上から下に向かって順に設置され、固定される。まず、最上位置の帯状布１８ａの上縁が内側に丸められ、その内部に散水管１６が収容される。その状態で、帯状布１８ａの縁を防水パネル１２にステープル２０で固定する。次に、帯状布１８ａの下縁を散水管１６の近傍にまで持ち上げる。そして、下側の帯状布１８を用意し、その上縁が、防水パネル１２と、上側に配置された帯状布１８ａと、の間に挟まれるようにして防水パネル１２上に配置し、この状態で、ステープル２０で２枚の帯状布１８を防水パネル１２に固定する。このとき、ステープル２０は、帯状布１８ａの壁側部分（折返し部分から３ｃｍ前後だけ上）と、下側の帯状布１８の上縁と、を貫通して防水パネル１２に突き刺さる。同様にして、帯状布１８を順次防水パネル１２に固定してゆく。そして、最下位置の帯状布１８のみ、折返し部分から３〜４ｃｍだけ上の部分が防水パネル１２にステープル２０により直接打ち付けられる。
【００２３】
こうして、図３に示すように、所要数の帯状布１８が防水パネル１２の全面に重ねられる。その後、図４に示すように、ステープル２２が、壁面に固定された帯状布１８の上にさらに打ち込まれる。ステープル２２は、各帯状布１８における横方向（延伸方向）の複数の位置を通り、複数の帯状布１８をまたがって上下方向（幅方向）に延伸する取付線上に、複数打ち込まれる。具体的には、壁面の右縁及び左縁を上下方向に延伸する取付線上に、多数のステープル２２が打たれる。こうして、各帯状布１８の左右の縁が壁側に強固に固定される。さらに、帯状布１８の中途部における互いに離間する複数の位置においても、複数の帯状布１８を渡って上下方向に延伸する取付線上に、多数のステープル２２が打たれる。これらの取付線は互いに離間しており、それぞれ上下に延伸する直線であってもよいし、曲線であってもよい。また、取付線は鉛直方向に延伸するものであってもよいし、斜め方向に延伸するものであってもよい。こうして、各帯状布１８は、中途部においても強固に固定される。
【００２４】
以上の手順で壁面に下地布１４及び帯状布１８を設置すると、帯状布１８における、上下に延伸する２本の取付線の間の部分は、いずれも上方に開口するポケット状をなす。本実施形態では、こうして出来る各ポケットに植物の根元部分を収容し、これにより植物を壁面に取り付ける。具体的には、植物の根元部分を苔（水苔）により包み、この苔ごと植物の根元部分を各ポケットに押し入れる。上述のように各帯状布１８の内部には定期的に液肥入りの水が供給されるようになっているので、苔や植物の根にも、水分・養分が定期的に供給される。
【００２５】
各ポケットは、縦方向に延伸する取付線上に打たれたステープル２２を介して左右方向に隣接していることから、図５に示すように、各ポケットに植物２４の根元部分を収容すると、植物の葉は、左右方向に隙間無く配置される。また、各帯状布１８の折返し部分は、下側に隣接する帯状布１８の手前側の縁よりも下側に位置しており、各ポケットの底部分の前方には、下側のポケットの開口内に位置する。すなわち、上側の帯状布１８の折返し部分は、下側の帯状布の内側に部分的に入り込む。このため、図６に示すように、各ポケットに植物２４の根元部分を収容すると、その葉部分により、上側に植えられた植物２４の根元部分を覆い隠すことができる。こうして、本実施形態によると、左右方向のみならず、上下方向にも隙間無く植物の葉を配置することができる。
【００２６】
以上のようにして、本実施形態に係る工法により緑化された壁面は、植物の葉により全面が覆われる。特に、上下方向に並ぶポケット群に同じ植物を植え、隣合う列のポケット群に葉色の異なる植物を植えれば、壁面全体として、あたかも絵画のような外観を呈する。こうして、本実施形態に係る工法を建物外壁に適用したときには、建物の遮熱・断熱といった実用的機能を奏することはもちろん、建物の美観を大いに向上させることができる。また、建物内壁や塀に適用したときにも、見る人に大いに癒しを与えることができる。
【００２７】
なお、図７に示すように、複数の帯状布１８を短手方向に折り曲げるとともに、折返し部分の近傍（壁側に設けられる部分）に下側の帯状布１８の上縁を縫い糸１９により縫い付けて、それらを連結することで、壁面緑化用の建築資材たる壁面緑化シート２６を形成してよい。帯状布１８同士を縫い付ける代わりにそれらを熱融着させてもよい。こうして形成される壁面緑化シート２６を緑化したい壁面に広げ、上述の上下方向に延伸する取付線に沿ってステープル２２を打ち付け、防水パネル１２などの壁側構造物に固定することで、容易且つ迅速に、図４に示される壁面緑化構造を実現することができる。
【００２８】
なお、本発明は上記実施形態に限定されず、種々の変形が可能である。以下では、図８乃至図１１に基づき、変形例に係る壁面緑化工法を説明する。本変形例では、図８に示すように、防水パネル１２の全面を覆うようにして下地布１４が固定される。下地布１４は、例えば不繊布である。不繊布としては、好適には８ｍｍ〜１０ｍｍ程度の厚さの工業用又は家庭用フェルトが用いられてよく、関西フェルトファブリック株式会社製のセブロンや押谷フェルト化成株式会社製のＯＳニードルを用いることができる。下地布１４の素材サイズによっては、複数の下地布１４により防水パネル１２が覆われてよいのはもちろんである。下地布１４の防水パネル１２への固定は、例えばタッカーを用いてステープル１５により行ってよい。例えば、下地布１４の上縁に沿ってステープル１５を打つことにより、下地布１４を防水パネル１２に固定してよい。その他、必要に応じて下地布１４の他の位置にもステープル１５が打たれる。なお、下地布１４の固定は、例えば釘、ねじ、鋲などの他の固定具により行ってもよい。
【００２９】
また、下地布１４の上縁近傍には、上縁に沿って横方向に延伸する散水管１６が取り付けられる。散水管１６は、下地布１４と防水パネル１２との間に挟まれるようにして配置されてもよいし、下地布１４の上縁により散水管１６が巻かれるようにして配置されても
よい。すなわち、下地布１４の上縁が内向き又は外向きに巻かれ、その中に散水管１６が配置されてよい。
【００３０】
次に、図９に示すように下地布１４には多数の帯状布１１８が重ねられる。帯状布１１８も、例えば不繊布である。この不繊布にも、８ｍｍ〜１０ｍｍ程度の厚さの工業用又は家庭用フェルトが用いられてよく、関西フェルトファブリック株式会社製のセブロンや押谷フェルト化成株式会社製のＯＳニードルを用いることができる。帯状布１１８は、例えば幅１５ｃｍ〜２５ｃｍ程度の帯状にカットされており、横方向に延伸するようにして下地布１４上に重ね合わされる。各帯状布１１８は、上側の帯状布１１８と部分的に重なるようにして配置される。すなわち、各帯状布１１８は、直上の帯状布１１８の位置に対して５ｃｍ〜１０ｃｍほど下側にずらして配置される。こうして、例えば各帯状布１１８の下側半分以上が下側の帯状布１１８により覆われる。
【００３１】
帯状布１１８は、上から順に、例えばタッカーを用いてステープル２０により下地布１４及び防水パネル１２に固定される。このとき、ステープル２０は、各帯状布１１８の下縁を左右方向に延伸する取付線上に多数打たれ、それらの先端は下地布１４を貫通して防水パネル１２に食い込む。ステープル２０の代わりに、例えば釘、ねじ、鋲などの固定具が用いられてもよい。或いは、後述するように、全ての帯状布１１８の下縁が、それぞれ予め下地布１４に縫い付けられてもよい（図１３参照）。或いは、各帯状布１１８の下縁を下地布１４に対して熱融着させてもよい。このように、各帯状布１１８の下縁を下地布１４に固定させておけば、帯状布１１８が固定された下地布１４を、防水パネル１２に対してステープル１５などで固定するだけで、帯状布１１８を防水パネル１２などの壁側の構造物に固定させることができる。
【００３２】
こうして、図１０に示すように、所要数の帯状布１１８が下地布１４の上縁を除く全面に重ね合わされ、各下縁が防水パネル１２に対してステープル２０で固定される。その後、図１１に示すように、タッカーを用いてステープル２２が、壁面に固定された帯状布１１８の上にさらに打ち込まれる。このとき、ステープル２２の先端は帯状布１１８及び下地布１４を貫通して防水パネル１２に食い込む。ステープル２２は、各帯状布１１８における横方向（延伸方向）の複数の位置を上下方向（幅方向）に延伸する取付線上に、複数打ち込まれる。具体的には、壁面の右縁及び左縁を上下方向に延伸する取付線上に、多数のステープル２２が打たれる。こうして、各帯状布１１８の左右の縁が壁側に強固に固定される。さらに、帯状布１１８の中途部における互いに離間する複数の位置においても、複数の帯状布１１８を渡って上下方向に延伸する取付線上にも、多数のステープル２２が打たれる。これらの取付線は互いに離間しており、それぞれ上下に延伸する直線であってもよいし、曲線であってもよい。また、直線は鉛直方向に延伸するものであってもよいし、斜め方向に延伸するものであってもよい。こうして、各帯状布１１８は、中途部においても強固に固定される。横固定位置は、上下方向に延びていることから、各帯状布１１８の上縁における複数の位置にもステープル２２が打たれることになる。
【００３３】
以上の手順で壁面に下地布１４及び帯状布１１８を設置すると、帯状布１１８におけるステープル２０及び２２により囲まれる部分、すなわち左右方向に延伸する取付線及び上下方向に延伸する取付線により囲まれる部分は、いずれも上方に開口するポケット状をなす。本変形例では、図１２に示すように、こうして出来る各ポケットに植物の根元部分を収容し、これにより植物を壁面に取り付ける。こうして、本変形例によると、壁面に隙間無く植物の葉を配置することができる。
【００３４】
なお、図１３に示すように、一定の広さの下地布１４の一辺に沿って帯状布１１８を配置し、その一側縁（対向辺側の縁）を下地布１４に縫い糸１９により縫い付け、さらに他の複数の帯状布１８を対向辺側に所定幅ずつずらしながら配置し、同様にそれぞれ一側辺を下地布１４に縫い付けることで壁面緑化シート１２６を形成してよい。帯状布１１８は、下地布１４に対して熱融着されてもよい。こうして形成される壁面緑化シート１２６を緑化したい壁面に広げ、横固定位置をステープル２２などの固定具で壁側構造物に固定することで、容易且つ迅速に、図１１に示される壁面緑化構造を実現することができる。
【符号の説明】
【００３５】
１０  下地、１２  防水パネル、１４  下地布、１６  散水管、１８，１１８  帯状布、１５，２０，２２  ステープル、２４  植物、２６，１２６  壁面緑化シート。
【図１】
0005606042.tif 000002
【図２】
0005606042.tif 000003
【図３】
0005606042.tif 000004
【図４】
0005606042.tif 000005
【図５】
0005606042.tif 000006
【図６】
0005606042.tif 000007
【図７】
0005606042.tif 000008
【図８】
0005606042.tif 000009
【図９】
0005606042.tif 000010
【図１０】
0005606042.tif 000011
【図１１】
0005606042.tif 000012
【図１２】
0005606042.tif 000013
【図１３】
0005606042.tif 000014